(57)【要約】【課題】長期に渡って画像を正確に読み取ることのできる画像読取装置を提供する。【解決手段】画像読取装置は、原稿が載置される原稿載置領域を形成する原稿台と、前記原稿載置領域に載置された原稿を走査方向に移動しながら読み取る読み取り手段と、前記原稿載置領域に対し前記読み取り手段の移動方向両側に設けられ、前記読み取り手段の前記移動方向における位置基準を成す、前記読み取り手段により読み取り可能な位置基準部とを備える。【選択図】図４
2014192800.tif 000002
【特許請求の範囲】
【請求項１】
原稿が載置される原稿載置領域を形成する原稿台と、
前記原稿載置領域に載置された原稿を走査方向に移動しながら読み取る読み取り手段と、
前記原稿載置領域に対し前記読み取り手段の移動方向両側に設けられ、前記読み取り手段の前記移動方向における位置基準を成す、前記読み取り手段により読み取り可能な位置基準部と、
を備えた画像読取装置。
【請求項２】
請求項１に記載の画像読取装置において、前記原稿載置領域に対し前記移動方向の両側に、反射光量の基準を成す、前記読み取り手段により読み取り可能な反射基準部を備える、
ことを特徴とする画像読取装置。
【請求項３】
請求項２に記載の画像読取装置において、前記原稿載置領域に対し前記移動方向両側に設けられた前記位置基準部のうち一方側の位置基準部である第１位置基準部に対し前記原稿載置領域から離れた側に、前記読み取り手段の待機位置を成す第１待機位置が設定され、
前記原稿載置領域に対し前記移動方向両側に設けられた前記位置基準部のうち他方側の位置基準部である第２位置基準部に対し前記原稿載置領域から離れた側に、前記読み取り手段の待機位置を成す第２待機位置が設定されている、
ことを特徴とする画像読取装置。
【請求項４】
請求項２に記載の画像読取装置において、前記第１待機位置は前記反射基準部のうち一方側の反射基準部である第１反射基準部と重なる位置に設定され、
前記第２待機位置は前記反射基準部のうち他方側の反射基準部である第２反射基準部と重なる位置に設定されている、
ことを特徴とする画像読取装置。
【請求項５】
請求項４に記載の画像読取装置において、前記読み取り手段は、前記第１待機位置から原稿読取動作を開始する場合には前記第１反射基準部を読み取り、前記第２待機位置から原稿読取動作を開始する場合には前記第２反射基準部を読み取る、
ことを特徴とする画像読取装置。
【請求項６】
請求項１から５のいずれか一項に記載の画像読取装置において、前記原稿載置領域に対し前記移動方向両側に設けられた前記位置基準部の間の距離を、前記読み取り手段を所定方向に移動させながら前記位置基準部を読み取ることで取得する距離取得モードを所定のタイミングで実行する、
ことを特徴とする画像読取装置。
【請求項７】
請求項１から６のいずれか一項に記載の画像読取装置において、前記原稿載置領域に対し前記移動方向両側に設けられた前記位置基準部のうち一方側の位置基準部を、前記読み取り手段の移動方向である第１方向に前記読み取り手段を移動させながら検出した時点から、前記読み取り手段の駆動源であるモーターを回転量Ｂ１だけ回転させて前記読み取り手段を更に前記第１方向に所定距離移動させ、
次いで前記モーターを逆転させて前記読み取り手段を前記第１方向とは反対の第２方向に移動させながら再度前記一方側の位置基準部を検出し、当該検出した際の前記モーターの回転量Ｂ２と、前記回転量Ｂ１と、の差を補正値Ｂとし、
前記読み取り手段を前記第１方向に移動させながらプレビュー動作を行った後、前記読み取り手段を前記プレビュー読み取り動作時より低速で前記第２方向に移動させながら原稿読み取り動作を行う際の前記モーターの駆動量に前記補正値Ｂを加える、
ことを特徴とする画像読取装置。
【請求項８】
請求項３から請求項７のいずれか一項に記載の画像読取装置において、前記読み取り手段は、原稿読取動作を実行中に動作中止命令を受けた場合、前記第１待機位置及び前記第２待機位置のうちいずれか近い待機位置に戻る、
ことを特徴とする画像読取装置。
【発明の詳細な説明】
【技術分野】
【０００１】
本発明は、ファクシミリに代表される画像読取装置に関する。
【背景技術】
【０００２】
従来から、イメージセンサ等の光電素子を備える画像読取手段を、ホームポジションから走査方向の反対側へ移動する往路において画像の読み取りを行い、画像の読み取りを完了した後は移動方向を反転し、ホームポジションに復帰させる画像読取装置が知られている（例えば、特許文献１）。
【０００３】
また画像読取装置では、読取り結果の補正を行い適正な画像情報を得るために、画像読み取り領域外に、基準板（例えば、白色の板）を設け、画像読取手段にて基準板を読み取り、その読取結果を基に、光電素子のゲイン補正等の処理を行う様になっている。また特許文献１記載の画像読取装置は、その様な基準板を、画像読取手段の走査方向両側に配置し、基準板の光反射特性が適切に得られる様に構成されている。
【先行技術文献】
【特許文献】
【０００４】
【特許文献１】特開２００２−１３５５４０号公報
【発明の概要】
【発明が解決しようとする課題】
【０００５】
ところで画像読取手段は、通常モーターにより駆動されるとともに、その移動量は、モーターの回転量により把握される場合がある。モーターの回転量を把握する為のロータリーエンコーダーは、画像読取手段の位置を直接把握するリニアエンコーダーよりも設置スペースが小さくて済み、また設置も容易な為である。
【０００６】
しかしながら画像読取手段を駆動する駆動系（歯車やベルトなどで構成される）が経年劣化すると、モーターの回転量と画像読取手段の移動量との対応関係が変化し、これによって画像読取位置にずれが生じてしまう虞がある。
【０００７】
具体的には、例えば画像読取手段のホームポジションに位置基準マークを設け、この位置基準マークの位置をもとにして画像読取手段の位置を把握する場合、位置基準マークに近い位置の画像は比較的正確に読み取れるが、位置基準マークから遠い位置の画像、即ち画像読取手段の移動量が多くなる場所の画像は、上記の様にモーターの回転量と画像読取手段の移動量との対応関係が変化することで、正確に読み取れない虞がある。
【０００８】
そこで本発明はこの様な状況に鑑みなされたものであり、その目的は、長期に渡って画像を正確に読み取ることのできる画像読取装置を提供することにある。
【課題を解決するための手段】
【０００９】
上記課題を解決する為の、本発明の第１の態様に係る画像読取装置は、原稿が載置される原稿載置領域を形成する原稿台と、前記原稿載置領域に載置された原稿を走査方向に移動しながら読み取る読み取り手段と、前記原稿載置領域に対し前記読み取り手段の移動方向両側に設けられ、前記読み取り手段の前記移動方向における位置基準を成す、前記読み取り手段により読み取り可能な位置基準部とを備えたことを特徴とする。
【００１０】
本態様によれば、画像読取装置は、読み取り手段の移動方向における位置基準を成す、読み取り手段により読み取り可能な位置基準部が、前記移動方向の両側に設けられているので、当該両側に設けられた位置基準部を読み取ることで、読み取り手段の駆動量と、位置基準部間の距離と、の関係を把握することができ、その結果読み取り手段の駆動機構に劣化が生じた場合であっても、画像を正確に読み取ることが可能となる。
【００１１】
本発明の第２の態様に係る画像読取装置は、第１の態様において、前記原稿載置領域に対し前記移動方向の両側に、反射光量の基準を成す、前記読み取り手段により読み取り可能な反射基準部を備えることを特徴とする。
【００１２】
本態様によれば、前記原稿載置領域に対し前記移動方向の両側に、反射光量の基準を成す、前記読み取り手段により読み取り可能な反射基準部を備えるので、前記読み取り動作を開始するに際して読み取り手段に近い反射基準部を選択して読み取ることで、全体的な読み取り動作時間を短縮することができる。
【００１３】
本発明の第３の態様に係る画像読取装置は、第２の態様において、前記原稿載置領域に対し前記移動方向両側に設けられた前記位置基準部のうち一方側の位置基準部である第１位置基準部に対し前記原稿載置領域から離れた側に、前記読み取り手段の待機位置を成す第１待機位置が設定され、前記原稿載置領域に対し前記移動方向両側に設けられた前記位置基準部のうち他方側の位置基準部である第２位置基準部に対し前記原稿載置領域から離れた側に、前記読み取り手段の待機位置を成す第２待機位置が設定されていることを特徴とする。
【００１４】
本態様によれば、画像読取装置は、原稿載置領域の両側に待機位置を備えるので、読み取り手段の往復の動作が不要となり、消費電力の削減を図ることができ、また不要な動作音の発生も防止することができる。
【００１５】
本発明の第４の態様に係る画像読取装置は、前記第１待機位置は前記反射基準部のうち一方側の反射基準部である第１反射基準部と重なる位置に設定され、前記第２待機位置は前記反射基準部のうち他方側の反射基準部である第２反射基準部と重なる位置に設定されていることを特徴とする。
【００１６】
本態様によれば、画像読取装置において第１待機位置が第１反射基準部と重なる位置に設定され、第２待機位置が第２反射基準部と重なる位置に設定されているので、画像読取装置の幅方向の外形寸法を小さくすることができ、画像読取装置の省スペース化を図ることができる。
【００１７】
本発明の第５の態様に係る画像読取装置は、第４の態様において、前記読み取り手段は、前記第１待機位置から原稿読取動作を開始する場合には前記第１反射基準部を読み取り、前記第２待機位置から原稿読取動作を開始する場合には前記第２反射基準部を読み取ることを特徴とする。
【００１８】
本態様によれば、前記読み取り手段は、前記第１待機位置から原稿読取動作を開始する場合には前記第１反射基準部を読み取り、前記第２待機位置から原稿読取動作を開始する場合には前記第２反射基準部を読み取るので、反射基準部を読み取るに際して前記読み取り手段の移動距離が短くて済み、全体的な読み取り動作時間の短縮を図ることができる。
【００１９】
本発明の第６の態様に係る画像読取装置は、第１から第５の態様のいずれかにおいて、前記原稿載置領域に対し前記移動方向両側に設けられた前記位置基準部の間の距離を、前記読み取り手段を所定方向に移動させながら前記位置基準部を読み取ることで取得する距離取得モードを所定のタイミングで実行することを特徴とする。
【００２０】
本態様によれば、前記原稿載置領域に対し前記移動方向両側に設けられた前記位置基準部の間の距離を、前記読み取り手段を所定方向に移動させながら前記位置基準部を読み取ることで取得する距離取得モードを所定のタイミングで実行するので、読み取り手段の駆動量と、位置基準部間の距離と、の関係を所定のタイミングで把握することで、常に、画像を正確に読み取ることが可能となる。
【００２１】
本発明の第７の態様に係る画像読取装置は、第１から第６の態様のいずれかにおいて、前記原稿載置領域に対し前記移動方向両側に設けられた前記位置基準部のうち一方側の位置基準部を、前記読み取り手段の移動方向である第１方向に前記読み取り手段を移動させながら検出した時点から、前記読み取り手段の駆動源であるモーターを回転量Ｂ１だけ回転させて前記読み取り手段を更に前記第１方向に所定距離移動させ、次いで前記モーターを逆転させて前記読み取り手段を前記第１方向とは反対の第２方向に移動させながら再度前記一方側の位置基準部を検出し、当該検出した際の前記モーターの回転量Ｂ２と、前記回転量Ｂ１と、の差を補正値Ｂとし、前記読み取り手段を前記第１方向に移動させながらプレビュー動作を行った後、前記読み取り手段を前記プレビュー読み取り動作時より低速で前記第２方向に移動させながら原稿読み取り動作を行う際の前記モーターの駆動量に前記補正値Ｂを加えることを特徴とする。
【００２２】
本態様によれば、前記位置基準部を、読み取り手段の移動方向を切り換えて検出することで上記補正値Ｂを得た上で、プレビュー動作と原稿読み取り動作とで読み取り手段の移動方向が異なる場合にモーター駆動量に上記補正値Ｂを加える。従って、前記読み取り手段の駆動機構に歯車を用いている場合には歯車間のバックラッシがキャンセルされ、また読み取り方向の違いに伴う誤差もキャンセルすることができ、正確に画像を読み取ることができる。
【００２３】
本発明の第８の態様に係る画像読取装置は、第３から第７の態様のいずれかにおいて、前記読み取り手段は、原稿読取動作を実行中に動作中止命令を受けた場合、前記第１待機位置及び前記第２待機位置のうちいずれか近い待機位置に戻ることを特徴とする。
【００２４】
本態様によれば、前記読み取り手段は、原稿読取動作を実行中に動作中止命令を受けた場合、前記第１待機位置及び前記第２待機位置のうちいずれか近い待機位置に戻るので、前記読み取り手段の余計な動作を回避して消費電力の削減を図ることができる。
【図面の簡単な説明】
【００２５】
【図１】本発明に係る画像読取装置の斜視図。
【図２】本発明に係る画像読取装置の構成の概要図。
【図３】本発明に係る画像読取装置において媒体カバーを開いた状態を示す斜視図。
【図４】本発明に係る画像読取装置における原稿台を示す平面図。
【図５】本発明に係る画像読取装置において原稿載置領域に対する読み取り手段の位置関係を示す概要図。
【図６】本発明に係る画像読取装置における電源投入時及び省電力モード復帰時における距離取得モードのフローチャート。
【発明を実施するための形態】
【００２６】
以下、本発明の実施の形態を図面に基づいて説明する。尚、各実施例において同一の構成については、同一の符号を付し、最初の実施例においてのみ説明し、以後の実施例においてはその構成の説明を省略する。
【００２７】
図１は本発明に係る画像読取装置の斜視図であり、図２は本発明に係る画像読取装置の構成の概要図であり、図３は本発明に係る画像読取装置において媒体カバーを開いた状態を示す斜視図であり、図４は本発明に係る画像読取装置における原稿台を示す平面図である。
【００２８】
図５は本発明に係る画像読取装置において原稿載置領域に対する読み取り手段の位置関係を示す概要図であり、図６は本発明に係る画像読取装置における電源投入時及び省電力モード復帰時における距離取得モードのフローチャートである。
【００２９】
また、各図において示すＸ−Ｙ−Ｚ座標系はＸ方向が記録装置の奥行き方向、Ｙ方向が記録装置の幅方向、Ｚ方向が記録装置の高さ方向を示している。尚、各図において−Ｘ向を装置前面側とし、＋Ｘ方向側を装置背面側とする。
【００３０】
図１ないし図３を参照して、記録装置の一例としてのインクジェットプリンター１０（以下「プリンター１０」という）の構成要素について説明する。プリンター１０は、装置本体１２と、画像読取装置１４とを備えている。装置本体１２は、外観を構成するハウジング１６と、該ハウジングの前面においてハウジング１６に対して開閉可能な蓋体１８と、ハウジング１６の前面に設けられた操作部２０とを備えている。図示しないが、蓋体１８を開いた状態にした際、ハウジング１６の内部に設けられた媒体収容部２２にアクセス可能となる。
【００３１】
また、ハウジング１６内には、媒体収容部２２と、給送部２４と、搬送部２６と、記録部２８と、排出部３０と、画像読取装置１４と、制御部３４と、前記媒体収容部２２から前記記録部２８を介して前記排出部３０に記録媒体を搬送する搬送経路とが設けられている。尚、図示しないが操作部２０はハウジング１６に対して装置前方側に回動可能に構成されている。
【００３２】
操作部２０をハウジング１６に対して装置前方側に回動させた際、ハウジング内の前記排出部にアクセス可能となり、前記記録部（図示せず）において記録が実行された前記記録媒体を装置本体１２から排出することができる。また、操作部２０は、プリンター１０を操作するための電源ボタンや印刷設定ボタン、表示パネル等を備えて構成されている。
【００３３】
また、図２を参照するに、制御部３４は、操作部２０からの入力指令に応じて、媒体収容部２２、給送部２４、搬送部２６、記録部２８、排出部３０及び画像読取装置１４における媒体の給送、搬送、排出、記録動作、原稿読取動作等のプリンター１０の記録及び画像読取の実行に必要な動作を制御している。操作部２０からの入力指令に代えて、外部（ＰＣなど）からの指示で原稿読取動作等のプリンター１０の記録及び画像読取の実行に必要な動作を制御してもよい。
【００３４】
■■■実施例■■■■
また、図３を参照するに、画像読取装置１４は、「原稿台」としての媒体載置台３６と、媒体カバー３８とを備えている。媒体カバー３８は、媒体載置台３６の＋Ｘ方向側の端部に回動軸４０を介して回動可能に連結されている。このため、本実施例では、媒体カバー３８は、−Ｘ方向側の端部を自由端として媒体載置台３６に対して回動し、媒体載置台３６の上部を開閉する。
【００３５】
媒体載置台３６の上部には「原稿載置領域」を形成する媒体載置面４２が設けられている。媒体載置面４２は、透明なガラス板により形成されている。本実施例では、媒体載置面４２の−Ｙ方向側の端部に後述する読み取り手段４４が媒体載置面４２に載置された「原稿」としての媒体を読み取るための媒体読取原点Ｓが設定されている。尚、媒体載置面４２の周囲は媒体載置面４２より一段高くなっており、これにより媒体読取原点Ｓに対し、媒体角部を突き当てて位置決めすることができる様になっている。
【００３６】
また、媒体カバー３８において、該媒体カバーが媒体載置台３６に対して閉状態にある際、媒体載置面４２と対向する側には媒体押さえ部材４６が設けられている。このため、媒体載置面４２に載置された媒体は、媒体カバー３８に設けられた媒体押さえ部材４６により媒体の媒体載置面４２に面した側と反対側の面が押圧される。
【００３７】
これにより、媒体は媒体載置面４２に対して一様に押し付けられ、媒体が媒体載置面４２から浮かないようにされている。尚、媒体押さえ部材４６の大きさは、媒体載置面４２に載置される媒体の前記反対側の面の全領域を押さえられるように媒体載置面４２の大きさと略同じ大きさに設定されている。
【００３８】
図４を参照するに、媒体載置台３６はさらに、その内部に読み取り手段４４と、第１位置基準部４８と、第２位置基準部５０と、第１反射基準部５２と、第２反射基準部５４とを備えている。第１反射基準部５２及び第２反射基準部５４は、読み取り結果の補正を行い適正な画像情報を得るための基準を取得するために用いられ、画像読取手段にて反射基準部を読み取り、その読取結果を基に、光電素子のゲイン補正等の処理を行う様になっている。
【００３９】
読み取り手段４４は、装置高さ方向すなわちＺ軸方向における＋Ｚ方向側に位置する媒体載置面４２に載置された媒体に光を照射し、該媒体からの反射光を受光して媒体の情報を読み取る光学ユニットとして構成され、Ｘ軸方向に延設されており、媒体載置面４２のＸ軸方向における長さに対応している。この読み取り手段４４は、Ｙ軸方向に延設されたガイドレール５８によってガイドされながら、駆動モーター６０（図２）から動力を得てＹ軸方向に移動し、原稿を読み取る。
【００４０】
尚、駆動モーター６０の回転軸、或いは駆動モーター６０から読み取り手段４４へ駆動力を伝達する回転体（歯車やプーリーなど）には、ロータリースケール(不図示）が設けられており、そしてまたこのロータリースケールを読み取る光学検出部（不図示）が設けられている。このロータリースケールと光学検出部はロータリーエンコーダー５９（図２）を構成し、当該ロータリーエンコーダー５９は回転量を信号として制御部３４に送信する。制御部３４はロータリーエンコーダー５９からの信号に基づいて読み取り手段４４の駆動量すなわちＹ軸方向における駆動量を算出する。また、制御部３４は、前記算出した駆動量に基づいて読み取り手段４４のＹ軸方向における位置を制御する。
【００４１】
また、読み取り手段４４は、装置高さ方向すなわちＺ軸方向において媒体載置面４２よりも下方に配置されている。さらに、媒体載置面４２の全領域が読み取り手段４４のＹ軸方向における移動領域内に含まれるように配置されている。したがって、読み取り手段４４をＹ軸方向に延設されたガイドレール５８に沿って移動させることにより、媒体載置面４２に載置された媒体の読み取り面を透明なガラス板を介して読み取り手段４４が読み取ることができる。
【００４２】
また、媒体載置台３６の内部には、図４のＺ軸方向において読み取り手段４４の＋Ｚ方向側すなわち読み取り手段４４の上方に位置するように第１位置基準部４８と、第２位置基準部５０と、第１反射基準部５２と、第２反射基準部５４とが設けられている。さらに、第１位置基準部４８及び第１反射基準部５２は媒体載置面４２の＋Ｙ方向側に設けられ、第２位置基準部５０及び第２反射基準部５４は媒体載置面４２の−Ｙ方向側に設けられている。
【００４３】
第１位置基準部４８及び第２位置基準部５０は、さらに図５を参照するにＹ軸方向において媒体載置面４２の両側に隣接するように配置されている。また、第１位置基準部４８及び第２位置基準部５０は、Ｘ軸方向に延びるとともにＸ軸方向において複数の切欠き部（図５参照）が設けられている。このため、読み取り手段４４が第１位置基準部４８及び第２位置基準部５０の下方を通過する際、反射光量に差が生じる。
【００４４】
このため、読み取り手段４４は、第１位置基準部４８及び第２位置基準部５０における反射光量の差を検出することにより、媒体載置台３６のＹ軸方向において第１位置基準部４８及び第２位置基準部５０が設けられた位置を読み取ることができる。このため、媒体載置台３６のＹ軸方向において読み取り手段４４が第１位置基準部４８を読み取った位置を第１基準位置ＹＳ１とし、読み取り手段４４が第２位置基準部５０を読み取った位置を第２基準位置ＹＳ２とすることができる。
【００４５】
したがって、媒体載置台３６は、媒体載置面４２に対して読み取り手段４４の移動方向であるＹ軸方向の両側に、読み取り手段４４の移動方向すなわちＹ軸方向における位置基準を成す、読み取り手段４４により読み取り可能な第１位置基準部４８及び第２位置基準部５０を備えている。
【００４６】
このため、読み取り手段４４の移動方向すなわちＹ軸方向における位置基準を成す、読み取り手段４４により読み取り可能な第１位置基準部４８及び第２位置基準部５０が、前記移動方向の両側に設けられているので、当該両側に設けられた第１位置基準部４８及び第２位置基準部５０をそれぞれ読み取ることで、読み取り手段の駆動量と、第１位置基準部４８と第２位置基準部５０との間の距離と、の関係を把握することができ、その結果読み取り手段４４の駆動機構に劣化が生じた場合であっても、画像を正確に読み取ることが可能となる。
【００４７】
また、第１反射基準部５２は、Ｙ軸方向において媒体載置面４２の＋Ｙ方向側において第１位置基準部４８よりも＋Ｙ方向側に配置されている。また、第２反射基準部５４は、Ｙ軸方向において媒体載置面４２の−Ｙ方向側において第２位置基準部５０よりも−Ｙ方向側に配置されている。
【００４８】
第１反射基準部５２及び第２反射基準部５４は、図４及び図５におけるＸ軸方向に延設され、白色の平板状の部材として形成されている。第１反射基準部５２及び第２反射基準部５４は、Ｘ軸方向において読み取り手段４４よりも長く構成されている。このため、読み取り手段４４が第１反射基準部５２及び第２反射基準部５４の下方を通過する際、所定量の光量を読み取り手段４４に向けて反射することから、反射光量の基準を成している。
【００４９】
したがって、媒体載置台３６は、媒体載置面４２に対して読み取り手段４４の移動方向であるＹ軸方向の両側に、反射光量の基準を成す、読み取り手段４４により読み取り可能な第１反射基準部５２及び第２反射基準部５４を備えている。
【００５０】
このため、媒体載置面４２に対し前記移動方向すなわちＹ軸方向の両側に、反射光量の基準を成す、読み取り手段４４により読み取り可能な第１反射基準部５２及び第２反射基準部５４を備えるので、読み取り手段４４による読み取り動作を開始するに際して読み取り手段４４に近い第１反射基準部５２及び第２反射基準部５４のいずれかを選択して読み取ることで、全体的な読み取り動作時間を短縮することができる。
【００５１】
また、図５を参照するに、読み取り手段４４の待機位置を成す第１待機位置ＹＨ１が、媒体載置面４２に対しＹ軸方向の＋Ｙ方向側に設けられた第１位置基準部４８に対し媒体載置面４２から離れた側すなわち＋Ｙ方向側に設定されている。さらに、読み取り手段４４の待機位置を成す第２待機位置ＹＨ２が、媒体載置面４２に対しＹ軸方向の−Ｙ方向側に設けられた第２位置基準部５０に対し媒体載置面４２から離れた側すなわち−Ｙ方向側に設定されている。図５において第１待機位置ＹＨ１、第２待機位置ＹＨ２が第１反射基準部５２及び第２反射基準部５４とは重ならない外側の領域としているが、第１反射基準部５２及び第２反射基準部５４とは重なる領域であっても良い。
【００５２】
また、画像読取装置において第１待機位置が第１反射基準部と重なる位置に設定され、第２待機位置が第２反射基準部と重なる位置に設定されると、画像読取装置の幅方向（Ｙ軸方向）の外形寸法を小さくすることができ、画像読取装置の省スペース化を図ることができる。
【００５３】
このため、媒体載置台３６において媒体載置面４２のＹ軸方向における両側に第１待機位置ＹＨ１及び第２待機位置ＹＨ２を備えるので、読み取り手段４４のＹ軸方向における往復の動作が不要となり、消費電力の削減を図ることができ、また不要な動作音の発生も防止することができる。
【００５４】
次いで、図５及び図６を参照して、プリンター１０において電源が投入された場合及びプリンター１０の省電力モードから復帰する場合において実行される読み取り手段４４の距離取得モードについて説明する。
【００５５】
ステップＳ１として、プリンター１０において電源が投入された直後及び省電力モードから復帰した直後に読み取り手段４４を第２の方向（＋Ｙ方向）に向けて移動させる。次にステップＳ２として、読み取り手段４４が＋Ｙ方向に移動し、Ｙ軸方向における移動領域の＋Ｙ方向側の端部に位置すると、それ以上移動できないことから駆動モーター６０の電流値が増大する。
【００５６】
ステップＳ３として、制御部３４は、駆動モーター６０の電流値の増大を検出すると、駆動モーター６０の回転を停止させる。これにより、読み取り手段４４は、Ｙ軸方向における移動領域の＋Ｙ方向側の端部でその移動を停止させられる。  
以上により制御部３４は読み取り手段４４の現在位置、即ち読み取り手段４４がＹ軸方向における移動領域の＋Ｙ方向側の端部に位置すると判断できる。従って通常電源オフ操作をされた際、或いは省電力モードに移行する際、読み取り手段４４を予め＋Ｙ方向側の端部に移動させた上で電源オフ或いは省電力モードに移行すれば、ステップＳ１に要する時間を短縮できる。また、読み取り手段４４が第１の方向（−Ｙ方向）の端部に位置する状態で電源オフ或いは省電力モードに移行する場合、読み取り手段４４はそのままの位置に置き、電源オン時或いは省電力モード復帰時に行うステップＳ１０１の動作を、＋Ｙ方向側ではなく−Ｙ方向側とすれば、読み取り手段４４の移動距離が短くて済み、ステップＳ１に要する時間を短縮できる。
【００５７】
続いて、ステップＳ４として、制御部３４は駆動モーター６０を逆回転させて読み取り手段４４を第１の方向（−Ｙ方向）に移動させる。そして、ステップＳ５として読み取り手段４４に第１位置基準部４８を検出させる。ステップＳ６として、読み取り手段４４により検出された第１位置基準部４８の位置を第１基準位置ＹＳ１とする。さらに、第１基準位置ＹＳ１から第２の方向（＋Ｙ方向）に所定の距離Ｌ１だけ離れた位置を第１待機位置ＹＨ１として設定する。
【００５８】
ステップＳ７として、読み取り手段４４を第１基準位置ＹＳ１から、さらに第１の方向（−Ｙ方向）に移動させる。そしてステップＳ８として第２位置基準部５０の検出を行う。そしてステップＳ９として、読み取り手段４４により検出された第２位置基準部５０の検出位置を第２基準位置ＹＳ２とする。
【００５９】
ステップＳ１０として、制御部３４は読み取り手段４４により検出された第１位置基準部４８の位置すなわち第１基準位置ＹＳ１と、検出された第２位置基準部５０の位置すなわち第２基準位置ＹＳ２と、の間の駆動モーター６０の駆動量から第１位置基準部４８と第２位置基準部５０との間の距離の実測値を算出する。そして、制御部３４は、前記算出された実測値と第１位置基準部４８と第２位置基準部５０との距離の理論値Ｌ３とを比較して、前記実測値と理論値との差すなわち送り誤差を算出する。
【００６０】
また、第２位置基準部５０の第２基準位置ＹＳ２と媒体載置面４２の−Ｙ方向側に位置する媒体読取原点Ｓとの距離Ｌ４は、画像読取装置１４の組立作業時に測定され、制御部３４に記録されている。したがって、媒体読取原点ＳのＹ軸方向における位置は第２基準位置ＹＳ２に距離Ｌ４を加えることで得られる。これにより、Ｙ軸方向における媒体読取原点Ｓの正確な位置が定まる。
【００６１】
そして、制御部３４は、第１位置基準部４８と第２位置基準部５０との間の理論値Ｌ３に前記送り誤差及び距離Ｌ４を加えることにより第１位置基準部４８すなわち第１基準位置ＹＳ１から媒体読取原点Ｓまでの読み取り手段４４の正確な駆動量Ｌ５を得ることができる。
【００６２】
また、ステップＳ１１として制御部３４は、第２基準位置ＹＳ２から第１の方向（−Ｙ方向）に所定の距離Ｌ２だけ離れた位置を第２待機位置ＹＨ２として設定する。
【００６３】
次いで、ステップＳ１２として制御部３４は、読み取り手段４４を第２基準位置ＹＳ２から、図５の距離Ａ１分移動させる。ここで、この距離Ａ１を移動させる為の駆動モーター６０の回転量は、歯車の理論バックラッシ量以上の回転量である。この歯車の理論バックラッシ量とは、駆動モーター６０から読み取り手段４４に動力を伝達する伝達機構（不図示）を構成する歯車（不図示）の寸法値から求められる、理論的な噛み合いのバックラッシ量である。
【００６４】
次いで、ステップＳ１３、ステップＳ１４として制御部３４は、読み取り手段４４を第２の方向（＋Ｙ方向）に移動させて、再度第２位置基準部５０を検出させる。この際、第２基準位置ＹＳ２から第１の方向（−Ｙ方向）に読み取り手段４４を距離Ａ１移動させた際の駆動モーター６０の回転量をＢ１とする。また、駆動モーター６０の逆転により読み取り手段４４を＋Ｙ方向に移動させて第２位置基準部５０を読み取った際（読み取り手段の移動距離はＡ２）の、駆動モーター６０の回転量をＢ２とする。上記バックラッシ量がゼロであれば、回転量Ｂ１と回転量Ｂ２は等しくなる。
【００６５】
しかしながら上記バックラッシ量は殆どの場合ゼロではないので、回転量Ｂ１と回転量Ｂ２との差が、読み取り手段４４の移動方向切り換えによって生じる誤差として、補正値Ｂとする。尚、この補正値Ｂは、上記バックラッシ量に起因する誤差のみならず、読み取り方向の違いによる誤差も含んでいる。
【００６６】
次いで、ステップＳ１５として制御部３４は、読み取り手段４４を第１待機位置ＹＨ１または第２待機位置ＹＨ２に移動させる。そして、制御部３４は、操作部２０を介してユーザーからの指示があるまで、読み取り手段４４を第１待機位置ＹＨ１または第２待機位置ＹＨ２において待機させる。尚、本実施例においては、ステップＳ１５の終了時点において第２基準位置ＹＳ２に読み取り手段４４が位置していることから、第２基準位置ＹＳ２に近い第２待機位置ＹＨ２に読み取り手段４４を移動させて第２待機位置ＹＨ２に待機させる。これにより、短時間で読み取り待機状態に移行することができる。
【００６７】
以上の様に、画像読取装置１４において媒体載置面４２に対し移動方向すなわちＹ軸方向における両側に第１位置基準部４８及び第２位置基準部５０を設けた上で、両基準部間の距離を、読み取り手段４４を所定方向（−Ｙ方向または＋Ｙ方向）に移動させながら第１位置基準部４８及び第２位置基準部５０を読み取ることで取得する距離取得モードを所定のタイミング（プリンター１０の電源投入時及び省電力モードからの復帰時）で実行するので、読み取り手段４４の駆動量と、位置基準部間の距離と、の関係を所定のタイミングで把握することで、常に、画像を正確に読み取ることが可能となる。
【００６８】
本実施例の距離取得モードにおいて、第２位置基準部５０を、読み取り手段４４の移動方向（＋Ｙ方向及び−Ｙ方向）を切り換えて検出することで上記補正値Ｂを得た上で、プレビュー動作と原稿読み取り動作とで読み取り手段４４の移動方向（＋Ｙ方向及び−Ｙ方向）が異なる場合に駆動モーター６０の駆動量に上記補正値Ｂを加える。従って、読み取り手段４４の駆動機構に歯車を用いている場合には歯車間のバックラッシがキャンセルされ、また読み取り方向の違いに伴う誤差もキャンセルすることができ、正確に画像を読み取ることができる。
【００６９】
続いて、制御部３４により制御される画像読取装置１４における媒体の読み取り動作すなわち画像読取モードについて図５を参照して説明する。以下の説明では、読み取り手段４４が第２待機位置ＹＨ２にある場合及び第１待機位置ＹＨ１にある場合を順に説明する。
【００７０】
読み取り手段４４が第２待機位置ＹＨ２において待機している場合において、ユーザーが操作部２０（図１及び図２参照）に画像読み取りの指示を入力すると、制御部３４は媒体読取モードを実行する。制御部３４は、読み取り手段４４を第２待機位置ＹＨ２から第２の方向（＋Ｙ方向）へ移動させ、第２反射基準部５４を読み取る。
【００７１】
さらに、読み取り手段４４を第２待機位置ＹＨ２から媒体読取原点Ｓまでの距離Ｌ２＋Ｌ４にバックラッシ及び読み取り方向の違いによる誤差の補正値Ｂを加えた読み取り手段４４の駆動量分だけ第１の方向（＋Ｙ方向）に移動させる。これにより、読み取り手段４４は、正確に媒体読取原点Ｓに位置することができる。
【００７２】
次いで、制御部３４は、読み取り手段４４を媒体読取原点Ｓから第２の方向（＋Ｙ方向）に第１の速度Ｖ１で移動させながら、媒体載置面４２に載置された媒体の読み取り面を読み取り、原稿のプレビュー動作を行う。そして読み取り手段４４を第１待機位置ＹＨ１で停止させる。
【００７３】
次に、制御部３４は、第１待機位置ＹＨ１から第１の方向（−Ｙ方向）に読み取り手段４４を移動させ、第１反射基準部５２を読み取らせる。そして、制御部３４は、プレビュー動作で得られた媒体載置面４２に載置された媒体の＋Ｙ方向側の端部を媒体の本読みの開始点として第１の速度Ｖ１と同等かそれより低速な第２の速度Ｖ２で第１の方向（−Ｙ方向）に読み取り手段４４を移動させながら、媒体の読み取り面を読み取り手段４４で読み取り、媒体の本読み動作を行う。これにより、画像読取装置１４は、媒体の情報を読み取ることができる。
【００７４】
続いて、読み取り手段４４が第１待機位置ＹＨ１において待機している場合において、ユーザーが操作部２０に画像読み取りの指示を入力すると、制御部３４は媒体読取モードを実行する。制御部３４は、読み取り手段４４を第１待機位置ＹＨ１から第１の方向（−Ｙ方向）へ移動させ、第１反射基準部５２を読み取る。
【００７５】
さらに、読み取り手段４４を第１待機位置ＹＨ１から第２待機位置ＹＨ２まで第１の方向（−Ｙ方向）に移動させる。この際、制御部３４は、第１の速度Ｖ１で移動させながら、媒体載置面４２に載置された媒体の読み取り面を読み取り、原稿のプレビュー動作を行う。そして読み取り手段４４を第２待機位置ＹＨで停止させる。
【００７６】
次に、制御部３４は、第２待機位置ＹＨ２から第２の方向（＋Ｙ方向）に読み取り手段を移動させ、第２反射基準部５４を読み取らせる。そして、制御部３４は、媒体読取原点Ｓから第１の速度Ｖ１と同等かそれより低速な第２の速度Ｖ２で第２の方向（＋Ｙ方向）に読み取り手段４４を移動させながら、媒体の読み取り面を読み取り手段４４で読み取り、媒体の本読み動作を行う。これにより、画像読取装置１４は、媒体の情報を読み取ることができる。以上が、媒体の画像読取モードである。
【００７７】
したがって、本実施例の画像読取装置１４では、媒体載置面４２に載置された媒体のプレビュー動作と本読み動作とを読み取り手段４４のＹ軸方向の移動領域における一往復動作のみで行うことができることから、画像読み取りにかかる時間を短縮することができる。
【００７８】
また、読み取り手段４４は、第１待機位置ＹＨ１から原稿読取動作を開始する場合には第１反射基準部５２を読み取り、第２待機位置ＹＨ２から原稿読取動作を開始する場合には第２反射基準部５４を読み取るように設定されている。
【００７９】
このため、読み取り手段４４は、第１待機位置ＹＨ１から原稿読取動作を開始する場合には第１反射基準部５２を読み取り、第２待機位置ＹＨ２から原稿読取動作を開始する場合には第２反射基準部５４を読み取るので、反射基準部５２、５４を読み取るに際して読み取り手段４４の移動距離が短くて済み、全体的な読み取り動作時間の短縮を図ることができる。
【００８０】
また、読み取り手段４４は、原稿読取動作を実行中に制御部３４からの動作中止命令を受けた場合、第１待機位置ＹＨ１及び第２待機位置ＹＨ２のうちいずれか近い待機位置ＹＨ１、ＹＨ２に戻るように設定されている。このため、読み取り手段４４の余計な動作を回避して消費電力の削減を図ることができる。
【００８１】
＜＜＜実施例の変形例＞＞＞
（１）本実施例において距離取得モードをプリンター１０の電源投入時及びプリンター１０の省電力モードからの復帰時に行うように設定しているが、媒体読取モードの実行時に毎回実行する設定としてもよい。これにより、媒体の読み取り動作の直前に補正値等が設定されることから、常にプリンター１０の現状に合わせて媒体の読み取り動作を実行できる。これにより、媒体載置面４２に載置された媒体の読み取り動作における読み取り手段４４の位置ずれを低減することができる。
（２）本実施例において読み取り手段４４の距離取得モードのステップＳ１からステップＳ１５は第１待機位置ＹＨ１側から第２待機位置ＹＨ２側へ向かって行われたが、これに限定するものではなく、ステップＳ１からステップＳ１５は第２待機位置ＹＨ２側から第１待機位置ＹＨ１側へ向かって行ってもよい。
【００８２】
上記説明をまとめると本実施例の画像読取装置１４は、媒体が載置される媒体載置面４２を形成する媒体載置台３６と、媒体載置面４２に載置された媒体をＹ軸方向に移動しながら読み取る読み取り手段４４と、媒体載置面４２に対し読み取り手段４４の移動方向（Ｙ軸方向）両側に設けられ、読み取り手段４４の移動方向（Ｙ軸方向）における位置基準を成す、読み取り手段により読み取り可能な第１位置基準部４８及び第２位置基準部５０と備える。
【００８３】
画像読取装置１４は、媒体載置面４２に対し移動方向（Ｙ軸方向）の両側に、反射光量の基準を成す、読み取り手段４４により読み取り可能な第１反射基準部５２及び第２反射基準部５４を備える。
【００８４】
画像読取装置１４において、媒体載置面４２に対し移動方向（Ｙ軸方向）両側に設けられた第１位置基準部４８及び第２位置基準部５０のうち一方側の位置基準部である第１位置基準部４８に対し媒体載置面から離れた側に、読み取り手段４４の待機位置を成す第１待機位置ＹＨ１が設定され、媒体載置面に対し移動方向（Ｙ軸方向）両側に設けられた第１位置基準部４８及び第２位置基準部５０のうち他方側の反射基準部である第２位置基準部５０に対し媒体載置面から離れた側に、読み取り手段４４の待機位置を成す第２待機位置ＹＨ２が設定されている。
【００８５】
第１待機位置ＹＨ１は反射基準部５２、５４のうち一方側の反射基準部である第１反射基準部５２と重なる位置に設定され、第２待機位置ＹＨ２は反射基準部５２、５４のうち他方側の反射基準部である第２反射基準部５４と重なる位置に設定されている。
【００８６】
読み取り手段４４は、第１待機位置ＹＨ１から原稿読取動作を開始する場合には第１反射基準部５２を読み取り、第２待機位置ＹＨ２から原稿読取動作を開始する場合には第２反射基準部５４を読み取る。さらに、制御部３４は、画像読取装置１４において媒体載置面に対し移動方向（Ｙ軸方向）両側に設けられた第１位置基準部４８及び第２位置基準部５０の間の距離を、読み取り手段４４を所定方向（−Ｙ方向または＋Ｙ方向）に移動させながら第１位置基準部４８及び第２位置基準部５０を読み取ることで取得する距離取得モードを所定のタイミングで実行する。
【００８７】
画像読取装置１４において、媒体載置面４２に対し移動方向（Ｙ軸方向）両側に設けられた第１位置基準部４８及び第２位置基準部５０のうち一方側の第２位置基準部５０を、読み取り手段４４の移動方向である−Ｙ方向に読み取り手段４４を移動させながら検出した時点から、読み取り手段４４の駆動源である駆動モーター６０のモーターを回転量Ｂ１だけ回転させて読み取り手段４４を更に−Ｙ方向に所定距離移動させ、次いで駆動モーター６０を逆転させて読み取り手段４４を−Ｙ方向とは反対の＋Ｙ方向に移動させながら再度第２位置基準部５０を検出し、当該検出した際の駆動モーター６０の回転量Ｂ２と、前記回転量Ｂ１と、の差を補正値Ｂとする。読み取り手段４４を−Ｙ方向に移動させながら第１の速度Ｖ１でプレビュー動作を行った後、読み取り手段４４を前記プレビュー読み取り動作時の第１の速度Ｖ１と同等かそれより低速な第２の速度Ｖ２で＋Ｙ方向に移動させながら原稿読み取り動作を行う際の駆動モーター６０の駆動量に前記補正値Ｂを加える。
【００８８】
読み取り手段４４は、原稿読取動作を実行中に動作中止命令を受けた場合、第１待機位置ＹＨ１及び第２待機位置ＹＨ２のうちいずれか近い待機位置ＹＨ１、ＹＨ２に戻る。
【００８９】
また、本実施形態では本発明に係る画像読取装置１４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９０】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９２】
１０  プリンター、１２  装置本体、１４  画像読取装置、１６  ハウジング、
１８  蓋体、２０  操作部、２２  媒体収容部、２４  給送部、２６  搬送部、
２８  記録部、３０  排出部、３４  制御部、３６  媒体載置台、３８  媒体カバー、
４０  回動軸、４２  媒体載置面、４４  読み取り手段、４６  媒体押さえ部材、
４８  第１位置基準部、５０  第２位置基準部、５２  第１反射基準部、
５４  第２反射基準部、５８  ガイドレール、５９  ロータリーエンコーダー、
６０  駆動モーター、Ａ１  距離、Ａ２  距離、Ｂ  補正値、Ｂ１  回転量、
Ｂ２  回転量、Ｌ１  距離、Ｌ２  距離、Ｌ３  理論値、Ｌ４  距離、Ｌ５  駆動量、
Ｓ  媒体読取原点、Ｖ１  第１の速度、Ｖ２  第２の速度、ＹＨ１  待機位置、
ＹＨ１  第１待機位置、ＹＨ２  第２待機位置、ＹＳ１  第１基準位置、
ＹＳ２  第２基準位置
【図１】
2014192800.tif 000003
【図２】
2014192800.tif 000004
【図３】
2014192800.tif 000005
【図４】
2014192800.tif 000006
【図５】
2014192800.tif 000007
【図６】
2014192800.tif 000008